(57)【要約】      （修正有）【課題】室内の過剰な温度の上昇を抑え、換気を良くする事により空気を清浄に保ち健康を確保し、クーラーの使用時間を制限し省エネに努め、地球環境の保全に寄与するドアを提供する。【解決手段】ドアの上側の部分に横幅３９０ミリで縦幅２００ミリの長方形の換気口を設ける。また、ドアの下側の部分に横幅３００ミリで縦幅１６０ミリの長方形の換気口を設ける。【選択図】図２
0003192629.tif 000002
【実用新案登録請求の範囲】
【請求項１】
ドア用換気口部材
【請求項１】
ドアに取り付ける換気口部材
【考案の詳細な説明】
【技術分野】
【０００１】建具、家具の物作り分野
【背景技術】
【０００２】建具、家具の物作り分野
【先行技術文献】
インターネット、Ｇｏｏｇｌｅで検索家具建具に関する文献多数参照
【特許文献】
【特許文献】経済産業省特許庁公開広報特許文献参照
【０００３】
【特許文献１】経済産業省特許庁公開広報特許文献参照
【特許文献２】経済産業省特許庁公開広報特許文献参照
【非特許文献】
【非特許文献】インタ―ネット、Ｇｏｏｇｌｅで検索家具建具に関する非特許文献多数参照
【０００４】
【非特許文献１】インタ―ネット、Ｇｏｏｇｌｅで検索家具建具に関する非特許文献多数参照
【非特許文献２】インタ―ネット，Ｇｏｏｇｌｅで検索家具建具に関する非特許文献多数参照
【考案の概要】
玄関ドアに換気口を設ける事により。夏場に於ける室内の温度を調節し。空気を入れ替え、清浄に保ち、ク―ラ―の使用時間を圧当的に制限、省エネに貢献、地球環境の保全に寄与する
【考案が解決しようとする課題】室内の過剰な温度の上昇を抑える。換気を良くする事により空気を清浄に保ち健康を確保、ク―ラ―の使用時間を制限し省エネに努める。地球環境の保全に寄与
【課題を解決するための手段】玄関ドアに換気口を設ける
【考案の効果】室内の過剰な上昇温度を調節し空気を清浄にし、健康を確保、ク―ラ―の使用時間を削減、省エネを実現、節電により化石燃料、原子力エネルギ―の削減を実現、地球環境の保全を得る
【図面の簡単な説明】玄関ドアに換気口を設けた時の平面図及び立体図並びに展開図、取り付け要領図
【図１】平面図
【図２】平面図、展開図
【図３】立体図、展開図
【図４】立体図、展開図
【図５】展開図、立体図  ダッシュ
【図５】展開図
【図６】展開図、立体図
【図７】展開図
【図８】取り付け要領図
【考案を実施するための形態】
玄関ドアに換気口を取り付ける
【実施例】現時点に於ける目覗例は無い
【産業上の利用可能性】建具、家具の製造業界に於いて換気口を組み込んだドアの新規製造の他、現在使用されている既存の玄関ドアの改造が期待され倉庫、物品庫の換気口に転用が見込まれる
【符号の説明】【配列表フリ−テキスト】省略
【配列表】              省略
【図１】
0003192629.tif 000003
【図２】
0003192629.tif 000004
【図３】
0003192629.tif 000005
【図４】
0003192629.tif 000006
【図５】
0003192629.tif 000007
【図５】
0003192629.tif 000008
【図６】
0003192629.tif 000009
【図７】
0003192629.tif 000010
【図８】
0003192629.tif 000011
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
ドアの上下部分に取り付ける換気口
【手続補正３】
【補正対象書類名】明細書
【補正対象項目名】全文
【補正方法】変更
【補正の内容】
【考案の詳細な説明】
【技術分野】
【０００１】建具、家具の物作り分野
【背景技術】
【０００２】建具、家具の物作り分野
【先行技術文献】
インタ―ネット、Ｇｏｏｇｌｅで検索家具建具に関する文献多数参照
【特許文献】
【特許文献】経済産業省特許庁公開広報特許文献参照
【０００３】
【特許文献１】経済産業省特許庁公開広報特許文献参照
【特許文献２】経済産業省特許庁公開広報特許文献参照
【非特許文献】
【非特許文献】インタ―ネット、Ｇｏｏｇｌｅで検索家具建具に関する非特許文献多数参照
【０００４】
【非特許文献１】インタ―ネット、Ｇｏｏｇｌｅで検索家具建具に関する非特許文献多数参照
【非特許文献２】インタ―ネット，Ｇｏｏｇｌｅで検索家具建具に関する非特許文献多数参照
【考案の概要】
玄関ドアに換気口を取り付ける事により。夏場に於ける室内の温度を調節し。空気を入れ替え、清浄に保ち、ク―ラ―の使用時間を圧当的に制限、省エネに貢献、地球環境の保全に寄与する
【考案が解決しようとする課題】室内の過剰な温度の上昇を抑える。換気を良くする事により空気を清浄に保ち健康を確保、ク―ラ―の使用時間を制限し省エネに努める。地球環境の保全に寄与
【課題を解決するための手段】玄関ドアに換気口を取り付ける
【考案の効果】室内の過剰な上昇温度を調節し空気を清浄にし、健康を確保、ク―ラ―の使用時間を削減、省エネを実現、節電により化石燃料、原子力エネルギ―の削減を実現、地球環境の保全を得る
【図面の簡単な説明】玄関ドアに換気口を取り付けた時の平面図及び立体図並びに展開図、取り付け要領図
【図１】平面図
【図２】平面図、展開図
【図３】立体図、展開図
【図４】立体図、展開図
【図５】展開図、立体図
【図６】展開図  立体図
【図７】展開図、立体図
【図８】展開図  取りつけ要領図
【図９】展開図  換気孔枠をドア本体に取り付ける為の地枠〜太枠寸法と其の位置
【図１０】分解図〜展開図既設の玄関ドアに換気口を設置する場合の取り付け要領図
【考案を実施するための形態】
玄関ドアの上下部分に換気口部材を取り付ける
【実施例】現時点に於ける目覗例は無い
【産業上の利用可能性】建具、家具の製造業界に於いて換気口部材を組み込んだドアの新規製造の他、現在使用されている既存の玄関ドアの改造が期待され、倉庫、物品庫の換気口に転用が見込まれる
【符号の説明】
【配列表フリーテキスト】省略
【配列表】省略
【手続補正４】
【補正対象書類名】図面
【補正対象項目名】全図
【補正方法】変更
【補正の内容】
【図１】
0003192629.tif 000012
【図１】
0003192629.tif 000013
【図２】
0003192629.tif 000014
【図３】
0003192629.tif 000015
【図４】
0003192629.tif 000016
【図５】
0003192629.tif 000017
【図６】
0003192629.tif 000018
【図７】
0003192629.tif 000019
【図８】
0003192629.tif 000020
【図９】
0003192629.tif 000021
【図１０】
0003192629.tif 000022
【手続補正書】
【提出日】平成25年12月16日(2013.12.16)
【手続補正１】
【補正対象書類名】実用新案登録請求の範囲
【補正対象項目名】全文
【補正方法】変更
【補正の内容】
【実用新案登録請求の範囲】
【請求項１】
ドアの上側の部分に横〜幅３９０ミリで縦２００ミリの長方形の換気口を設ける
【請求項２】
ドアの下側の部分に横〜幅３００ミリで縦１６０ミリの長方形の換気口を設ける
【手続補正２】
【補正対象書類名】明細書
【補正対象項目名】全文
【補正方法】変更
【補正の内容】
【考案の詳細な説明】
【技術分野】
【０００１】建具、家具の物作りの分野
【背景技術】
【０００２】建具、家具の物作りの分野
【先行技術文献】
インタ−ネット、Ｇｏｏｇｌｅで検索家具建具に関する文献多数参照
【特許文献】
【特許文献】経済産業省特許庁公開広報特許文献参照
【０００３】
【特許文献１】経済産業省特許庁公開広報特許文献参照
【特許文献２】経済産業省特許庁公開広報特許文献参照
【非特許文献】
【非特許文献】インタ−ネット、Ｇｏｏｇｌｅで検索家具建具に関する非特許文献多数参照
【０００４】
【非特許文献１】インタ−ネット、Ｇｏｏｇｌｅで検索家具建具に関する非特許文献多数参照
【非特許文献２】インタ−ネット，Ｇｏｏｇｌｅで検索家具建具に関する非特許文献多数参照
【考案の概要】
ドアに換気口を取り付ける事により。夏場に於ける室内の温度を調節し。空気を入れ替え、清浄に保ち、ク−ラ−の使用時間を圧当的に制限、省エネに貢献、地球環境の保全に寄与
【考案が解決しようとする課題】室内の過剰な温度の上昇を抑える。換気を良くする事により空気を清浄に保ち健康を確保、ク−ラ−の使用時間を制限し省エネに努める。地球環境の保全に寄与
【課題を解決するための手段】ドアの上側の部分に換気口を設け、ドアの下側の部分にも換気口を取り付ける
【考案の効果】室内の過剰な上昇温度を調節し空気を清浄にし、健康を確保、ク−ラ−の使用時間を削減、省エネを実現、節電により化石燃料、原子力エネルギ−の削減を実現、地球環境の保全を得る
【図面の簡単な説明】ドアの上側の部分に換気口を設け、ドアの下側の部分にも換気口を取り付けた時の平面図及び立体図並びに展開図、取り付け要領図
【図１】  平面図
【図２】  平面図、展開図
【図３】  立体図、展開図
【図４】  立体図、展開図
【図５】  立体図  展開図、
【図６】  展開図  立体図換気口枠をドアに取り付ける為の下地枠〜太枠の寸法と其の位置
【図７】  展開図  換気口枠をドア本体に取り付ける為の下地枠〜太枠寸法と其の位置
【図８】  分解図、」展開図、既設の玄関ドアに換気口を設置する場合の取り付け要領図
【考案を実施するための形態】
玄関ドアの上の部分と下の部分に換気口部材を取り付ける
【実施例】現時点に於ける目覗例は無い
【産業上の利用可能性】建具、家具の製造業界に於いて換気口部材を組み込んだドアの新規製造の他、現在使用されている既存の玄関ドアの改造が期待され、倉庫、物品庫の換気口に転用が見込まれる
【符号の説明】
【配列表フリーテキスト】省略
【配列表】省略
【手続補正３】
【補正対象書類名】図面
【補正対象項目名】全図
【補正方法】変更
【補正の内容】
【図１】
0003192629.tif 000023
【図２】
0003192629.tif 000024
【図３】
0003192629.tif 000025
【図４】
0003192629.tif 000026
【図５】
0003192629.tif 000027
【図６】
0003192629.tif 000028
【図７】
0003192629.tif 000029
【図８】
0003192629.tif 000030
【手続補正書】
【提出日】平成26年4月18日(2014.4.18)
【手続補正１】
【補正対象書類名】実用新案登録請求の範囲
【補正対象項目名】全文
【補正方法】変更
【補正の内容】
【実用新案登録請求の範囲】
【請求項１】
ドアの上側の部分に横幅３９０ミリで縦幅２００ミリの長方形の換気口を設けたことを特徴とするドア
【請求項２】
ドアの下側の部分に横幅３００ミリで縦幅１６０ミリの長方形の換気口を設けたことを特徴とするドア